【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】  ボトムローラとトップローラが相前後するローラ対の形で配置されており、前記トップローラが動作時に押圧アームの加重された押圧要素によって前記ボトムローラに押圧されるようになっており、各トップローラに、１つの保持要素を共有する２つの押圧要素が割当てられていて、加重装置が取外し可能である構造の、ドラフト装置のトップローラを加重しながら繊維スライバを延伸するドローフレームの装置であって、押圧アーム（１１ａ〜１１ｄ）が押圧要素（９；９1〜９4；９ａ1、９ａ2；９ｂ1、９ｂ2；９ｃ1、９ｃ2；９ｄ1、９ｄ2；１３ａ〜１３ｄ）と共にピボット軸受（１０）または回り軸受を中心として回転可能ないしは旋回可能であり、前記押圧要素（９；９1〜９4；９ａ1、９ａ2；９ｂ1、９ｂ2；９ｃ1、９ｃ2；９ｄ1、９ｄ2；１３ａ〜１３ｄ）が支持要素（１２；１２ａ〜１２ｄ）によって互いに接続されていることを特徴とする装置。
【請求項２】  前記押圧要素（９；９1〜９4；９ａ1、９ａ2；９ｂ1、９ｂ2；９ｃ1、９ｃ2；９ｄ1、９ｄ2）が、往復運動部、例えばラム（１９）を備えることを特徴とする請求項１に記載の装置。
【請求項３】  前記ラム（１９）が円断面を有することを特徴とする請求項２に記載の装置。
【請求項４】  前記押圧要素が空圧シリンダ（９；９1〜９4；９ａ1、９ａ2；９ｂ1、９ｂ2；９ｃ1、９ｃ2；９ｄ1、９ｄ2）であることを特徴とする請求項１〜３のいずれか１項に記載の装置。
【請求項５】  前記空圧シリンダ（９；９1〜９4；９ａ1、９ａ2；９ｂ1、９ｂ2；９ｃ1、９ｃ2；９ｄ1、９ｄ2）が、長方形断面（ａ、ｂ）を有することを特徴とする請求項４に記載の装置。
【請求項６】  空圧シリンダ（９；９1〜９4；９ａ1、９ａ2；９ｂ1、９ｂ2；９ｃ1、９ｃ2；９ｄ1、９ｄ2）の幅（ｂ）が、トップローラ（１〜４）の幅または直径以下であることを特徴とする請求項４又は５に記載の装置。
【請求項７】  前記空圧シリンダ（９；９1〜９4；９ａ1、９ａ2；９ｂ1、９ｂ2；９ｃ1、９ｃ2；９ｄ1、９ｄ2）が、前記押圧アーム（１１ａ〜１１ｄ）の支持要素であることを特徴とする請求項４〜６のいずれか１項に記載の装置。
【請求項８】  前記空圧シリンダ（９；９1〜９4；９ａ1、９ａ2；９ｂ1、９ｂ2；９ｃ1、９ｃ2；９ｄ1、９ｄ2）が、前記回転中心（１０）またはピボット軸受に装着されることを特徴とする請求項４〜７のいずれか１項に記載の装置。
【請求項９】  前記回転中心またはピボット軸受が、前記トップローラ（１〜４）に対面する空圧シリンダ（９；９1〜９4；９ａ1、９ａ2；９ｂ1、９ｂ2；９ｃ1、９ｃ2；９ｄ1、９ｄ2）の下端領域に装着されることを特徴とする請求項４〜８のいずれか１項に記載の装置。
【請求項１０】  前記空圧シリンダ（９；９1〜９4；９ａ1、９ａ2；９ｂ1、９ｂ2；９ｃ1、９ｃ2；９ｄ1、９ｄ2）が、下方カバー（１３；１３ａ1、１３ａ2；１３ｂ1、１３ｂ2；１３ｃ1、１３ｃ2；１３ｄ1、１３ｄ2）を有することを特徴とする請求項４〜９のいずれか１項に記載の装置。
【請求項１１】  前記回転中心（１０）またはピボット軸受が、空圧シリンダ（９；９1〜９4；９ａ1、９ａ2；９ｂ1、９ｂ2；９ｃ1、９ｃ2；９ｄ1、９ｄ2）の下方カバー（１３；１３ａ1、１３ａ2；１３ｂ1、１３ｂ2；１３ｃ1、１３ｃ2；１３ｄ1、１３ｄ2）に配列されることを特徴とする請求項１０に記載の装置。
【請求項１２】  前記支持要素（１２ａ〜１２ｄ）が、前記トップローラから離れた空圧シリンダ（９；９1〜９4；９ａ1、９ａ2；９ｂ1、９ｂ2；９ｃ1、９ｃ2；９ｄ1、９ｄ2）の上端領域に装着されることを特徴とする請求項４〜１１のいずれか１項に記載の装置。
【請求項１３】  前記支持要素（１２、１２ａ〜１２ｄ）が、押圧アーム（１１ａ〜１１ｄ）の前記空圧シリンダ（９；９1〜９4；９ａ1、９ａ2；９ｂ1、９ｂ2；９ｃ1、９ｃ2；９ｄ1、９ｄ2）の上方カバーを形成することを特徴とする請求項４〜１２のいずれか１項に記載の装置。
【請求項１４】  前記支持要素（１２、１２ａ〜１２ｄ）が、押圧アーム（１１ａ〜１１ｄ）の前記空圧シリンダ（９；９1〜９4；９ａ1、９ａ2；９ｂ1、９ｂ2；９ｃ1、９ｃ2；９ｄ1、９ｄ2）の間にブリッジを形成することを特徴とする請求項４〜１３のいずれか１項に記載の装置。
【請求項１５】  前記支持要素（１２、１２ａ〜１２ｄ）が、前記２つの空圧シリンダ（９；９1〜９4；９ａ1、９ａ2；９ｂ1、９ｂ2；９ｃ1、９ｃ2；９ｄ1、９ｄ2）用のクロスヘッドを形成することを特徴とする請求項４〜１４のいずれか１項に記載の装置。
【請求項１６】  前記支持要素（１２、１２ａ〜１２ｄ）の内部が中空（１２″′）であることを特徴とする請求項１〜１５のいずれか１項に記載の装置。
【請求項１７】  前記支持要素（１２、１２ａ〜１２ｄ）が、圧縮空気チャネル（ｐ）を形成することを特徴とする請求項１〜１６のいずれか１項に記載の装置。
【請求項１８】  前記空圧シリンダ（９；９1〜９4；９ａ1、９ａ2；９ｂ1、９ｂ2；９ｃ1、９ｃ2；９ｄ1、９ｄ2）が、圧縮空気チャネル（ｐ）に接続されることを特徴とする請求項１７に記載の装置。
【請求項１９】  前記空圧シリンダ（９；９1〜９4；９ａ1、９ａ2；９ｂ1、９ｂ2；９ｃ1、９ｃ2；９ｄ1、９ｄ2）と、前記支持要素（１２、１２ａ〜１２ｄ）とが、ポータル形体の押圧アーム（１１ａ〜１１ｄ）を形成することを特徴とする請求項４〜１８のいずれか１項に記載の装置。
【請求項２０】  前記支持要素（１２、１２ａ〜１２ｄ）が電気リードを収容することを特徴とする請求項１〜１９のいずれか１項に記載の装置。
【請求項２１】  前記押圧アーム（１１ａ〜１１ｄ）が、前記トップローラ（１〜４）と同一面に配列されることを特徴とする請求項１〜２０のいずれか１項に記載の装置。
【請求項２２】  前記支持要素（１２ａ〜１２ｄ）の長手方向軸線が、前記トップローラ（１〜４）の長手方向軸線に対し平行に配列されることを特徴とする請求項１〜２１のいずれか１項に記載の装置。
【請求項２３】  前記空圧シリンダ（９；９1〜９４；９ａ1、９ａ2；９ｂ1、９ｂ2；９ｃ1、９ｃ2；９ｄ1、９ｄ2）が、前記トップローラ（１〜４）に対し垂直に配列されることを特徴とする請求項４〜２２のいずれか１項に記載の装置。
【請求項２４】  前記空圧シリンダ（９；９1〜９4；９ａ1、９ａ2；９ｂ1、９ｂ2；９ｃ1、９ｃ2；９ｄ1、９ｄ2）が、前記支持要素（１２、１２ａ〜１２ｄ）に対し垂直に配列されることを特徴とする請求項４〜２３のいずれか１項に記載の装置。
【請求項２５】  前記支持要素（１２、１２ａ〜１２ｄ）が、例えばアルミニウム製の押出成形部分であることを特徴とする請求項１〜２４のいずれか１項に記載の装置。
【請求項２６】  空圧シリンダ（９；９１〜９４；９ａ１、９ａ２；９ｂ１、９ｂ２；９ｃ１、９ｃ２；９ｄ１、９ｄ２）の前記下方カバー（１３；１３ａ１、１３ａ２；１３ｂ１、１３ｂ２；１３ｃ１、１３ｃ２；１３ｄ１、１３ｄ２）が、ピボット軸受（１０）に回転可能に装着されることを特徴とする請求項４〜２５のいずれか１項に記載の装置。
【請求項２７】  ロック装置（２６）が、前記他のそれぞれの空圧シリンダ（９；９１〜９４；９ａ１、９ａ２；９ｂ１、９ｂ２；９ｃ１、９ｃ２；９ｄ１、９ｄ２）と関連することを特徴とする請求項４〜２６のいずれか１項に記載の装置。
【請求項２８】  ロック装置（２６）が、前記他のそれぞれの空圧シリンダ（９；９1〜９4；９ａ1、９ａ2；９ｂ1、９ｂ2；９ｃ1、９ｃ2；９ｄ1、９ｄ2）の下方カバーと関連することを特徴とする請求項４〜２７のいずれか１項に記載の装置。
【請求項２９】  各々の押圧アーム（１１ａ〜１１ｄ）において、空圧シリンダ（９；９1〜９４；９ａ1、９ａ2；９ｂ1、９ｂ2；９ｃ1、９ｃ2；９ｄ1、９ｄ2）またはその下方カバー（１３；１３ａ1、１３ａ2；１３ｂ1、１３ｂ2；１３ｃ1、１３ｃ2；１３ｄ1、１３ｄ2）が、ピボット軸受に接合されることを特徴とする請求項４〜２８のいずれか１項に記載の装置。
【請求項３０】  各々の押圧アーム（１１ａ〜１１ｄ）において、ロック装置（２６）が、空圧シリンダ（９；９1〜９4；９ａ1、９ａ2；９ｂ1、９ｂ2；９ｃ1、９ｃ2；９ｄ1、９ｄ2）またはその下方カバー（１３；１３ａ1、１３ａ2；１３ｂ1、１３ｂ2；１３ｃ1、１３ｃ2；１３ｄ1、１３ｄ2）と関連することを特徴とする請求項４〜２９のいずれか１項に記載の装置。
【請求項３１】  押圧アーム（１１ａ〜１１ｄ）がハウジング（３０）を具備することを特徴とする請求項１〜３０のいずれか１項に記載の装置。
【請求項３２】  前記ハウジング（３０）がプラスチックからなることを特徴とする請求項３１に記載の装置。
【請求項３３】  前記プラスチックが繊維強化プラスチック、例えばガラス繊維であることを特徴とする請求項３２に記載の装置。
【請求項３４】  ハウジング（３０）が射出成形法によって製造可能であることを特徴とする請求項３１〜３３のいずれか１項に記載の装置。
【請求項３５】  ハウジング（３０）が一体型コンポーネントであることを特徴とする請求項３１〜３４のいずれか１項に記載の装置。
【請求項３６】  ハウジング（３０）が支持要素（１２ａ〜１２ｄ）を包含することを特徴とする請求項３１〜３５のいずれか１項に記載の装置。
【請求項３７】  支持要素（１２ａ〜１２ｄ）が、片側の開いたチャネル（３３）からなることを特徴とする請求項１〜３６のいずれか１項に記載の装置。
【請求項３８】  チャネル（３３）の内空部に電気線路（３５）および／または空気管路（３４）が配置されていることを特徴とする請求項３７に記載の装置。
【請求項３９】  チャネル（３３）が取外し可能な蓋（３６）等によって密閉可能であることを特徴とする請求項３７又は３８に記載の装置。
【請求項４０】  ハウジング（３０）が押圧要素（９；９1〜９4；９ａ1、９ａ2；９ｂ1、９ｂ2；９ｃ1、９ｃ2；９ｄ1、９ｄ2；１３ａ〜１３ｄ）の本体を包含することを特徴とする請求項３１〜３６のいずれか１項に記載の装置。
【請求項４１】  ハウジング（３０）が２つの保持要素（３２ａ、３２ｂ）を包含することを特徴とする請求項３１〜３６、４０のいずれか１項に記載の装置。
【請求項４２】  押圧要素（９；９1〜９4；９ａ1、９ａ2；９ｂ1、９ｂ2；９ｃ1、９ｃ2；９ｄ1、９ｄ2；１３ａ〜１３ｄ）の外側にそれぞれ１つの保持要素（３２ａ、３２ｂ）が割当てられていることを特徴とする請求項１〜４１のいずれか１項に記載の装置。
【請求項４３】  少なくとも１つの保持要素（３２ａ、３２ｂ）がピボット軸受（１０）または回り軸受に回転可能ないしは旋回可能な形で装着されていることを特徴とする請求項１〜４２のいずれか１項に記載の装置。
【請求項４４】  少なくとも１つの保持要素（３２ａ、３２ｂ）がピボット軸受（１０）または回り軸受から離脱可能であることを特徴とする請求項１〜４３のいずれか１項に記載の装置。
【請求項４５】  少なくとも１つの保持要素（３２ａ、３２ｂ）がロック装置（２６）等から離脱可能であることを特徴とする請求項１〜４４のいずれか１項に記載の装置。
【請求項４６】  押圧要素（９；９1〜９4；９ａ1、９ａ2；９ｂ1、９ｂ2；９ｃ1、９ｃ2；９ｄ1、９ｄ2；１３ａ〜１３ｄ）がそれぞれ少なくとも１つの中間要素（３１ａ、３１ｂ）を介してピボット軸受（１０）または回り軸受に装着されていることを特徴とする請求項１〜４５のいずれか１項に記載の装置。
【請求項４７】  押圧要素（９；９1〜９4；９ａ1、９ａ2；９ｂ1、９ｂ2；９ｃ1、９ｃ2；９ｄ1、９ｄ2；１３ａ〜１３ｄ）がそれぞれ少なくとも１つの中間要素（３１ａ、３１ｂ）を介してロック装置（２６）等に離脱できるように装着されていることを特徴とする請求項１〜４６のいずれか１項に記載の装置。
【請求項４８】  トップローラ（１〜４）のためにロック／アンロック装置が設けられていることを特徴とする請求項１〜４７のいずれか１項に記載の装置。
【請求項４９】  ロック／アンロック装置が押しボタン（３７）等であることを特徴とする請求項４８に記載の装置。
【請求項５０】  押しボタン（３７）等がばね要素（３８）によって加重されていることを特徴とする請求項４９に記載の装置。
【請求項５１】  押しボタン（３７）等が機械的に、例えば手動で操作可能であることを特徴とする請求項４９〜５０のいずれか１項に記載の装置。
【請求項５２】  押しボタン（３７）等がハウジング（３０）の中間要素（３１ｂ）に配置されていることを特徴とする請求項４９〜５１のいずれか１項に記載の装置。
【請求項５３】  ばね押し式押しボタン（３７）が、軸受（４０）を中心として回転可能なアングルレバー（３９）と共同で働くことを特徴とする請求項５０〜５２のいずれか１項に記載の装置。
【請求項５４】  ダブルアングルレバー（３９）が設けられていることを特徴とする請求項４９〜５３のいずれか１項に記載の装置。
【請求項５５】  押しボタンがダブルアングルレバー（３９）の一方のアングルアーム（３９ａ）に作用することを特徴とする請求項４９〜５４のいずれか１項に記載の装置。
【請求項５６】  トップローラがダブルアングルレバー（３９）の他方のアングルアーム（３９ｂ）と共同で働くことを特徴とする請求項５５に記載の装置。
【請求項５７】  押圧アーム（１１ａ〜１１ｄ）においてそれぞれ１つの押圧要素（９）がピボット軸受（１０）または回り軸受を中心として回転可能ないしは旋回可能な形で装着されていることを特徴とする請求項１〜５６のいずれか１項に記載の装置。
【請求項５８】  ダブルレバー（３９）に、ダブルレバー（３９）の位置に応じて、弾性加重式のフック（４２）等が食い込む２つの凹部（４３ａ、４３ｂ）が設けられていることを特徴とする請求項５６に記載の装置。